(57)【特許請求の範囲】
【請求項１】
障子の嵌め込まれる嵌め込み枠部の室内側に、取付枠部を設けて外付けサッシのサッシ枠を構成し、障子を開閉可能に嵌め込んで成る既設サッシの下枠に、外付けサッシの取付枠部の下枠部を結合し、外付けサッシの取付枠部の左右竪枠部、上枠部と、既設サッシの対応する竪枠、上枠とを、サッシ取付部材を介して結合して、既設サッシの室外側に外付けサッシを取り付け、外付けサッシの取付枠部の開口空間を、外障子を室外側から建て込む既設サッシの外障子の仮置き空間としたサッシ枠の結合構造。
【請求項２】
少なくとも外付けサッシの取付枠部の左右竪枠部と既設サッシの対応する竪枠とを結合するサッシ取付部材における一方の取付部を既設サッシの室内面に当て、サッシ取付部材における他方の取付部を窓枠開口内側に突出する取付片とし、一方、外付けサッシの取付枠部の竪枠部に窓開口内側に突出した取付壁を形成し、前記取付片と前記取付壁とを室内側からの結合ビスで連結したことを特徴とする請求項１記載のサッシ枠の結合構造。
【請求項３】
取付枠部の室内側端部分には、気密材保持溝が既設サッシ枠側に開口して設けてあり、その気密材保持溝に気密材を保持させて成る請求項１または２記載のサッシ枠の結合構造。
【請求項４】
既設サッシ下枠の上向きの引っ掛け片である網戸レールに外付けサッシの取付枠部の下枠部に設けた引っ掛け部を係止し、外付けサッシの取付枠部の左右竪枠部、上枠部の室内側端と既設サッシの対応する竪枠、上枠の室外側片室外側面との間に生じる隙間にスペーサを介在させてなる請求項１〜３の何れか１項に記載のサッシ枠の結合構造。
【請求項５】
外付けサッシの取付枠部を構成する上下枠部、左右竪枠部には、位置調整ボルトが螺合され、これらの位置調整ボルトにより、外付けサッシの既設サッシに対する上下左右方向位置を調整可能としたことを特徴とする請求項１〜４の何れか１項に記載のサッシ枠の結合構造。
【請求項６】
既設サッシの室外側に取り付けられ、既設サッシと共に２重サッシを構成する外付けサッシであって、そのサッシ枠は、障子を嵌め込む障子嵌め込み枠部と、その嵌め込み枠部の室内側に設けられる取付枠部とを備え、取付枠部の開口内側空間を、既設サッシのサッシ枠に対して室外側から建て込まれる外障子を収容する仮置き空間となっていることを特徴とする外付けサッシ。
【発明の詳細な説明】
【技術分野】
【０００１】
この発明は、既設サッシの外側に外付けサッシを増設する際のサッシの結合構造及び、その増設される外付けサッシに関する。
【背景技術】
【０００２】
音を遮断する目的で、高い気密性を備えた防音サッシ、あるいは、２重サッシが知られている。
【０００３】
従来、この種の２重サッシとしては、特許文献１〜３に記載されたものが知られている。また、２重サッシではないが、改装サッシとしては、特許文献４〜６に記載されたものが知られている。
【０００４】
【特許文献１】実開昭５５−１４７４７６号公報
【特許文献２】実開昭５５−  ４２７２３号公報
【特許文献３】実開昭５６−  ２５１７８号公報
【特許文献４】実開昭６１−１２３１７９号公報
【特許文献５】特開昭５９−  ９６３７８号公報
【特許文献６】特開昭６１−２２９０８６号公報
【発明の開示】
【発明が解決しようとする課題】
【０００５】
ところで、建物を建築した後に、その建物近辺に高速道路等が建設されたり、あるいは、既存の道路の交通量が増加したりすると、騒音が増えて、音環境が劣悪となることがある。予め、そのような事態を予測して、前記したような防音機能の高い防音サッシや、二重サッシが建築当初から採用されていれば問題はないが、そうでない場合、つまり、一般サッシでは、そのような騒音を遮断するに十分ではないので、騒音によって生活に支障を生じるおそれがある。勿論、そのような一般サッシを建物から取り払い、代わって高機能の防音サッシや二重サッシに改装できなくも無いが、工事が大掛かりとなり、費用も嵩むので安易に実施できない問題がある。
【０００６】
この発明は、既設サッシの外側にもう一つサッシを増設して、簡単、安価に２重サッシを構成することのできるサッシ枠の結合構造、及び、その外付けサッシを提供することにある。
【課題を解決するための手段】
【０００７】
上記課題解決のため、本願発明のサッシ枠の結合構造は、障子の嵌め込まれる嵌め込み枠部の室内側に、取付枠部を設けて外付けサッシのサッシ枠を構成し、障子を開閉可能に嵌め込んで成る既設サッシの下枠に、外付けサッシの取付枠部の下枠部を結合し、外付けサッシの取付枠部の左右竪枠部、上枠部と、既設サッシの対応する竪枠、上枠とを、サッシ取付部材を介して結合して、既設サッシの室外側に外付けサッシを取り付け、外付けサッシの取付枠部の開口空間を、外障子を室外側から建て込む既設サッシの外障子の仮置き空間としたことを特徴としている（請求項１）。
【０００８】
また、本願発明は、少なくとも外付けサッシの取付枠部の左右竪枠部と既設サッシの対応する竪枠とを結合するサッシ取付部材における一方の取付部を既設サッシの室内面に当て、サッシ取付部材における他方の取付部を窓枠開口内側に突出する取付片とし、一方、外付けサッシの取付枠部の竪枠部に窓開口内側に突出した取付壁を形成し、前記取付片と前記取付壁とを室内側からの結合ビスで連結したことを特徴としている（請求項２）。
また、本願発明は、取付枠部の室内側端部分には、気密材保持溝が既設サッシ枠側に開口して設けてあり、その気密材保持溝に気密材を保持させて成ることを特徴としている（請求項３）。
【０００９】
また、本願発明は、既設サッシ下枠の上向きの引っ掛け片である網戸レールに外付けサッシの取付枠部の下枠部に設けた引っ掛け部を係止し、外付けサッシの取付枠部の左右竪枠部、上枠部の室内側端と既設サッシの対応する竪枠、上枠の室外側片室外側面との間に生じる隙間にスペーサを介在させてなることを特徴としている（請求項４）。
また、本願発明は、外付けサッシの取付枠部を構成する上下枠部、左右竪枠部には、位置調整ボルトが螺合され、これらの位置調整ボルトにより、外付けサッシの既設サッシに対する上下左右方向位置を調整可能としたことを特徴としている（請求項５）。
【００１０】
また、本願発明の外付けサッシは、既設サッシの室外側に取り付けられ、既設サッシと共に２重サッシを構成する外付けサッシであって、そのサッシ枠は、障子を嵌め込む障子嵌め込み枠部と、その嵌め込み枠部の室内側に設けられる取付枠部とを備え、取付枠部の開口内側空間を、既設サッシのサッシ枠に対して室外側から建て込まれる外障子を収容する仮置き空間となっていることを特徴としている（請求項６）。
【発明の効果】
【００１１】
本願発明では、障子の嵌め込まれる嵌め込み枠部の室内側に、取付枠部を設けて外付けサッシのサッシ枠を構成し、障子を開閉可能に嵌め込んで成る既設サッシの下枠に、外付けサッシの取付枠部の下枠部を結合し、外付けサッシの取付枠部の左右竪枠部、上枠部と、既設サッシの対応する竪枠、上枠とを、サッシ取付部材を介して結合して、既設サッシの室外側に外付けサッシを取り付け、外付けサッシの取付枠部の開口空間を、外障子を室外側から建て込む既設サッシの外障子の仮置き空間としたので、既設サッシの室外側に外付けサッシを結合でき、簡単な作業で２重サッシを構成でき、安価に防音機能を向上でき、しかも、既設サッシのサッシ枠と外付けサッシのサッシ枠とを結合した後に、既設サッシの外障子を仮置き空間に仮置きしておくことで、既設サッシの外障子を室外側から円滑に立て込むことができる。
【００１２】
また、本願発明では、少なくとも外付けサッシの取付枠部の左右竪枠部と既設サッシの対応する竪枠とを結合するサッシ取付部材における他方の取付部を、窓枠開口内側に突出する取付片とし、一方、外付けサッシの取付枠部の竪枠部に窓開口内側に突出した取付壁を形成し、前記取付片と前記取付壁とを室内側からの結合ビスで連結したので、結合ビスを室内側から操作でき、結合ビスのねじ込み作業を容易にでき、しかも、結合ビスのねじ込みによって外付けサッシを室内側へ引き込んで既設サッシに密着できる。
また、本願発明では、取付枠部の室内側端部分には、気密材保持溝が既設サッシ枠側に開口して設けてあり、その気密材保持溝に気密材を保持させているので、防音、気密機能を向上できる。
また、本願発明では、既設サッシ下枠の上向きの引っ掛け片である網戸レールに外付けサッシの取付枠部の下枠部に設けた引っ掛け部を係止し、外付けサッシの取付枠部の左右竪枠部、上枠部の室内側端と既設サッシの対応する竪枠、上枠の室外側片室外側面との間に生じる隙間にスペーサを介在させているので、特定の網戸レール位置に対応した外付けサッシを、その網戸レール位置より室外側に網戸レールがある別の既設サッシに流用できる利点がある。
【００１３】
また、本願発明では、外付けサッシの取付枠部を構成する上下枠部、左右竪枠部には、位置調整ボルトが螺合され、これらの位置調整ボルトにより、外付けサッシの既設サッシに対する上下左右方向位置を調整可能としたので、外付けサッシを既設サッシに結合するに先立ち、外付けサッシの位置を微調整できる。
また、本願発明の外付けサッシでは、障子を嵌め込む障子嵌め込み枠部と、その嵌め込み枠部の室内側に設けられる取付枠部とを備え、取付枠部の開口内側空間を、既設サッシのサッシ枠に対して室外側から建て込まれる外障子を収容する仮置き空間となっているので、既設サッシの室外側に結合する簡単な作業で２重サッシを構成でき、安価に防音機能を向上でき、しかも、既設サッシの外障子を室外側から円滑に立て込むことができる。
【発明を実施するための最良の形態】
【００１４】
図１において、躯体開口部１には、上下枠２，３、左右竪枠４、５を枠組みした既設サッシＡのサッシ枠６が嵌め込まれている。上枠２の内外案内片７，８と、それらと対応する下枠３の内外レール９，１０との間には、内外障子１１，１２が引き違い可能に嵌め込んである。外障子１２は、室外側からサッシ枠６に建て込まれるようになっている。下枠３の室外側端には、上向きに網戸レール１３が下枠３の略全長に渡って（両端は切除されている）形成されている。網戸レール１３と室内外方向の位相を同じくして、上枠２、左右の竪枠４，５には、夫々室外側片１４が設けてある。上枠２の室外側片１４と前記網戸レール１３との間には網戸が嵌め込まれる。
【００１５】
次に外付けサッシＢを説明する。外付けサッシＢのサッシ枠２０は、障子が嵌め込まれる嵌め込み枠部２１の室内側に取付枠部１００を備えている。嵌め込み枠部２１は、上下枠２２，２３、左右竪枠２４，２５を枠組みされた独立した嵌め込み枠となっている。下枠２３は階段状に形成され、内外障子用のレール２６，２７を備えている。これらのレール２６，２７と室内外方向位相を同じくして、上枠２２には内外の案内垂片２８，２９が垂下され、内外レール２６，２７と対応する案内垂片２８，２９との間に、内外障子３０，３１が移動自在に嵌め込まれる。
【００１６】
上下枠４１，４２、左右竪枠４３，４４とが枠組みされた取付枠体４０が前記嵌め込み枠部２１の外周を取り囲んで嵌め込み枠部２１に一体に取り付けてある。図３に示すように、取付枠体４０の下枠４２は、底壁４２ａの室内外方向中間位置から垂直取付片４２ｂが上方に伸びて嵌め込み枠部下枠２３の室内側片２３ｂに結合されている。嵌め込み枠部下枠２３の下方を室外側に延びた前部底壁４２ａ１は、嵌め込み枠部下枠２３の底片２３ａに結合されている。前部底壁４２ａ１には、長手方向に所定ピッチでアジャスタ４５がねじ込まれており、その高さを調整することで、躯体開口部１の下面１ａに取り付けた傾斜枠１１０を介して前部底壁４２ａ１を下方から支持し、嵌め込み枠部２１の重量を支えている。底壁４２ａの室内側端は上方へ立ち上がる立ち上げ片４６となっており、その上端が、鉤状引っ掛け部４７に形成されている。この引っ掛け部４７は、既設サッシＡの上向き引っ掛け片として例示される前記網戸レール１３に引っ掛けられる。垂直取付片４２ｂから立ち上げ片４６までの底壁部分が、取付枠部１００の下枠部１０１を構成している。底壁４２ａからは下方にねじ込み壁４８が設けてあり、ねじ込み壁４８に先端が傾斜枠１１０上面に当接する高さ調整用のボルト４９が長手方向に所要数ねじ込んである。位置調整ボルト４９は、後述のものも含めて、夫々対応する調整孔４９ａを介して調整される。垂直取付片４２ｂの下側には水返しゴム装着用の溝５０が形成され、水返しゴム５１が取り付けられる。
【００１７】
図４に示すように、取付枠体４０の上枠４１は、上壁４１ａと内壁４１ｂとが室内側と室外側の結合壁４１ｃ，４１ｄで結合されている。室外側の結合壁４１ｄと同じ位相で下方に垂直取付片４１ｅが垂下され、嵌め込み枠部２１の上枠２２の室内側片２２ｂに結合されている。内壁４１ｂは、嵌め込み枠部２１の上枠２２上方を室外側に延びて庇４１ｆを形成している。庇４１ｆの室外側部分には鉤状の係止片４１ｇが設けてあり、嵌め込み枠部２１の上枠２２の係止片２２ａと係合している。また、内壁４１ｂと上壁４１ａと室内側の結合壁４１ｃとにより、室内側（既設サッシ枠側）に開口した気密材保持溝４１ｈが形成されている。取付枠体４０の上枠４１において、室外側の結合壁４１ｄより室内側部分が、取付枠部１００の上枠部１０２を構成する。上壁４１ａには、前記下枠部１０１と同様に高さ位置調整ボルト４９がねじ込んである。室外側の結合壁４１ｄの室外側には、水返しゴム装着用の溝５０が形成され、水返しゴム５１が取り付けられる。
【００１８】
取付枠体４０の左右竪枠４３，４４は、左右対象である。図５で左竪枠４３部分を拡大して示す。基本形状は取付枠体４０の上枠４１と同じであり、外壁４３ａ（４４ａ）と内壁４３ｂ（４４ｂ）とが室内側と室外側の結合壁４３ｃ，４３ｄ（４４ｃ，４４ｄ）で結合されている。室外側の結合壁４３ｄ（４４ｄ）と同じ位相で（前記上枠の垂直取付片４１ｅと同じ位相で）取付片４３ｅ（４４ｅ）が設けてあり、嵌め込み枠部２１の対応する竪枠２４（２５）の室内側片２４ｂ（２５ｂ）に結合されている。内壁４３ｂ（４４ｂ）は、嵌め込み枠部２１の対応する竪枠２４（２５）の側方を室外側に延びた室外側壁４３ｆ（４４ｆ）となっている。室外側壁４３ｆ（４４ｆ）の室外側部分には、係止片４３ｇ（４４ｇ）が設けてあり、嵌め込み枠部２１の竪枠２４（２５）の係止片２４ａ（２５ａ）と係合している。外壁４３ａ（４４ａ）と内壁４３ｂ（４４ｂ）と室内側の結合壁４３ｃ（４４ｃ）とにより、前記上枠４１の気密材保持溝４１ｈと室内外位相を同じくして室内側に開口した気密材保持溝４３ｈ（４４ｈ）が形成されている。これらの気密材保持溝４１ｈ，４３ｈ，４４ｈには、連続して気密材８０が嵌め込まれる。取付枠体４０の左右の各竪枠４３，４４において、室外側の結合壁４３ｄ，４４ｄより室内側部分が、取付枠部１００の左右竪枠１０３，１０４を構成している。外壁４３ａ，４４ａには、上下枠部１０１と同様に、左右方向位置の調整ボルト４９がねじ込んである。室外側の結合壁４３ｄ，４４ｄの室外側には、水返しゴム装着用の溝５０が形成され、水返しゴム５１が取り付けられる。これらの水返しゴム５１は、躯体開口部１と取付枠部１００との間をシールする。
【００１９】
外付けサッシＢの取付枠部１００の上枠部１０２、左右竪枠部１０３，１０４を、対応する既設サッシＡに結合するためのサッシ取付部材９０はＬ字状断面を成している。そのサッシ取付部材９０は、既設サッシＡの竪枠４，５、上枠２の室外側片１４の室内面に当てつけられる一方の取付部９１と、その取付部９１に対して直角、室外方向に延び、外付けサッシＢの対応する取付枠部１００の竪枠部１０３，１０４、上枠部１０２の内面に結合される他方の取付部９２とから成り、サッシ取付部材９０の一方の取付部９１と外付けサッシＢの取付枠部１００の左右竪枠部１０３，１０４、上枠部１０２の室内側端との間に、既設サッシＡの対応する竪枠４，５、上枠２の室外側片１４を夫々挟み込むように取り付けられる。上枠部１０２用のサッシ取付部材９０は、両端が左右竪枠部１０３，１０４のサッシ取付部材９０と連続する長さであり、左右竪枠部１０３，１０４用のサッシ取付部材９０の下端は、鉤状引っ掛け片４７の上端高さまでとなっている。
【００２０】
取付枠部１００の上下枠部１０１、１０２、左右竪枠部１０３，１０４の内側に形成される開口空間Ｓは、既設サッシＡの外障子１２を仮置きする仮置き空間になっており、その上下方向寸法、室内外方向寸法は、そこに既設サッシＡの外障子１２を置いて、その後、外障子１２を斜めにして、上部を外案内片８に嵌め込んだ後、下部を既設サッシＡの外レール１０上に建て込みできる作業空間を提供できる大きさに設定されている。
【００２１】
次に、既設サッシＡに外付けサッシＢを取り付ける方法を説明する。先ず、既設サッシＡから内外障子１１，１２、網戸を取り外す。その状態で、内外障子３０，３１を取り外した外付けサッシＢのサッシ枠２０（ここでは、嵌め込み枠部２１と取付枠体４０とを一体にしたもの）の下枠部１０１の鉤状引掛け部４７を、既設サッシＡの下枠３の網戸レール１３に室外側斜め上方から引っかけ（図６）、その状態で、外付けサッシＢのサッシ枠２０を室内側に起こし、取付枠部１００の上枠部１０２、左右竪枠部１０３，１０４の室内側端を対応する既設サッシＡの上枠２、左右竪枠４，５の室外側片１４の室外面に当てる。勿論、気密材保持溝４１ｈ，４３ｈ，４４ｈには気密材８０を嵌め込んでおく。こうして、取付枠部１００の上枠部１０２、左右竪枠部１０３，１０４の室内側端を対応する既設サッシＡの上枠２、左右竪枠４，５の室外側片１４の室外面に当てつけた状態で、先ず、上枠部１０２を固定する作業をおこなう。取付枠部１００の開口内側から、上枠部１０２結合用のサッシ取付部材９０の室外方向の取付部９２を取付枠部１００の上枠部１０２の内面に押し当て、垂直な取付部９１を既設サッシＡの上枠２の室外側片１４の室内面に当て、室外方向の取付部９２と取付枠部１００の上枠部１０２（内壁４１ｂ）とを結合ビス１１０で連結する。同様の作業を既設サッシＡの左右の竪枠４，５と外付けサッシＢの取付枠部１００の左右の竪枠部１０３，１０４との間でも行い、こうして、サッシ取付部材９０と外付けサッシＢの取付枠部１００の左右竪枠部１０３，１０４、上枠部１０２との間に、既設サッシＡの対応する竪枠４，５、上枠２の室外側片１４が挟み込まれて、両サッシ枠６，２０が結合される（図６）。両サッシを完全に結合するに先立ち、取付枠部１００の上下枠部１０１、１０２、左右枠部１０３，１０４の上下、左右位置を、各枠部にねじ込んだ位置調整ボルト４９で微調整する作業が行われることは言うまでもない。
【００２２】
次いで、外付けサッシＢの嵌め込み枠部２１に外付けサッシＢの内外障子３０，３１を順次嵌め込む（図７）。次に、図８のように、既設サッシＡの外障子（室外側からしか建て込めない）１２を一旦、室内側から取付枠部１００内側の開口部分Ｓへ仮置きしておく。その状態で、既設サッシＡの内障子１１を既設サッシＡの所定位置に建て込み（図７）、その後、仮置きしてあった既設サッシＡの外障子１２を、既設サッシＡの外レール１０上に建て込んで、取り付けが完了する（図１）。こうして、既設サッシＡの室外側に、外付けサッシＢが取り付けられて２重サッシとなるため、防音機能が向上する。また、既設サッシＡをそのまま生かし、外付けサッシＢを付加する構成で２重サッシ構造にできるため、サッシ窓の前面改装の必要が無く、安価で容易に実施可能である。なお、上述した実施形態では、外付けサッシ枠は、嵌め込み枠と取付枠体とを別体として両者を結合して嵌め込み枠部２１の室内側に取付枠部を備えたもので説明したが、嵌め込み枠部に取付枠部を一体成形したものであっても良い。
【００２３】
次に、サッシ取付部材の別の例を示す。前記第１の実施形態と同一部分には同一番号を付し、詳細な説明は省略してある。また、簡略化のため、障子も省略してある。図９に示すように、外付けサッシＢの左竪枠部１０３と既設サッシＡの対応する竪枠４とを結合するサッシ取付部材９０Ａは（ここでは、左枠側のみ示す、右枠側はこの図９と対称）、断面において既設サッシＡの竪枠４の室外側片１４の室内面に当てつけられる一方の取付部９１ａと、その取付部９１ａに対して直角、室外方向に延び、外付けサッシＢの対応する取付枠部１００の竪枠部１０３内面に押し当てられる中間部９１ｂと、その中間部９１ｂの室外側端から窓枠開口内側に突出した他方の取付片９２ａとから成る鉤状屈曲部材となっている。一方、外付けサッシＢの取付枠部１００の左竪枠部１０３には、窓枠開口内側に突出して上下方向の取付壁１０３ａが設けてある。取付壁Ｂ１０３ａは、先端が室外側に屈曲され、結合ビス１１０の先端を室外側から見えなくしている。そして、サッシ取付部材９０Ａの前記取付片９２ａを前記外付けサッシＢの取付壁１０３ａの室内側に対向させ、取付片９２ａの室内側からの室内外方向の結合ビス１１０で両者を結合して、外付けサッシＢを室内方向に引き込む様にして既設サッシＡに取り付けている。このように、室内外方向の結合ビス１１０で取り付けるようにしたので、第１の実施形態のように、障子の開閉方向から結合ビスで結合する場合に比べて、ねじ込み作業が容易であり、また、外付けサッシＢが室内側に引き込まれるように取り付けられるので、取付枠部１００の左竪枠部１０３の室内側端が既設サッシＡの対応する竪枠４の室外側片１４に、より密着できて好都合である。また、結合ビス１１０が室内外方向であるので、第１の実施形態のように室内外方向と直交する方向でねじ結合している場合より、結合が確実で、取付け後に弛みが生じにくく、外付けサッシＢが室外側に倒れるなどのおそれがない。
【００２４】
さらに、図１０，１１では、別の実施形態を示す。これらの図でも、簡略化のため、障子は省略してあり、図１１では、左竪枠部の断面のみ示している。右竪枠部は図１１と対称である。前述した２つの実施形態では、既設サッシＡの下枠３の網戸レール１３は、既設サッシＡの左右竪枠４，５、上枠２の室外側片１４と同じ室内外位相にあって、その網戸レール１３に外付けサッシＢの引っ掛け片４７を引っ掛けてサッシ取付部材９０（または９０Ａ）を介して既設サッシＡに外付けサッシＢを取り付けると、既設サッシＡの左右竪枠４，５、上枠２の室外側片室外面に、外付けサッシＢの取付枠部１００の左右竪枠部１０３，１０４、上枠部１０２の室内側端が気密材８０を介して直接当て付けられるようになっていたが、既設サッシＡの網戸レール１３が、左右竪枠４、５、上枠２の室外側片１４より室外側に位置することがある。このような場合には、前述した２つの実施形態で使用した外付けサッシＢをそのまま取り付けようとすると、網戸レール１３が室外側に位置している分、外付けサッシＢが室外方向にずれ、取付枠部１００の左右竪枠部１０３、１０４、上枠部１０２の室内側端と、これに対向する既設サッシの竪枠４，５、上枠２の室外側片１４の室外面との間には隙間Ｌができる。この隙間Ｌを埋めるように、スペーサ１２１を介在させて、外付けサッシＢを取り付ける。スペーサ１２１は断熱材とすると、断熱効果が現れて好ましい。ここでは、左（右）竪枠部には前記した図９のサッシ取付部材９０Ａを使用し、上枠部では、Ｌ型のサッシ取付部材９０を使用しており、サッシ取付部材９０Ａの場合、取付片９２ａと取付壁１０３ａ間にも、同様のスペーサ１２２が介在される。この構造では、ある特定の網戸レール位置に対応した外付けサッシを、その網戸レール位置より室外側に網戸レールがある別の既設サッシに流用できる利点がある。
【図面の簡単な説明】
【００２５】
【図１】既設サッシの外側に外付けサッシを結合した２重サッシの縦断面である。
【図２】図１の横断面図である。
【図３】下枠部の拡大図である。
【図４】上枠部の拡大図である。
【図５】左竪枠部の拡大図である。
【図６】サッシ枠の結合作業を示す図である。
【図７】サッシ枠の結合作業を示す図である。
【図８】サッシ枠の結合作業を示す図である。
【図９】別のサッシ取付部材を用いた左竪枠部の拡大図である。
【図１０】スペーサを用いて結合した２重サッシの縦断面図である。
【図１１】図１０の横断面図であり、左竪枠部を示す図である。
【符号の説明】
【００２６】
２      上枠
３      下枠
４、５  竪枠
１１    内障子
１２    外障子
１３    網戸レール（引っ掛け片）
１４    室外側片
２０    サッシ枠
２１    嵌め込み枠部
３０    内障子
３１    外障子
４１ｈ  気密材保持溝
４３ｈ  気密材保持溝
４４ｈ  気密材保持溝
４７    鉤状引っ掛け部
４９    位置調整ボルト
９０    サッシ取付部材
９０Ａ  サッシ取付部材
９１    取付部
９２    取付部
１００  取付枠部
１０１  下枠部
１０２  上枠部
１０３  左右竪枠部
１０４  左右竪枠部
１１０  結合ビス
Ａ      既設サッシ
Ｂ      外付けサッシ
Ｓ      開口空間
【図１】
0004678390.tif 000002
【図２】
0004678390.tif 000003
【図３】
0004678390.tif 000004
【図４】
0004678390.tif 000005
【図５】
0004678390.tif 000006
【図６】
0004678390.tif 000007
【図７】
0004678390.tif 000008
【図８】
0004678390.tif 000009
【図９】
0004678390.tif 000010
【図１０】
0004678390.tif 000011
【図１１】
0004678390.tif 000012